(57)【要約】【課題】強度が高く、軽量で、且つ大量の帯状製品を巻回して外筒部が変形しにくく、仮に変形しても変形量が極めて小さいので、変形後の形状が円形に近くなり、その形状が実質的に帯状製品に転写されず商品価値の高い帯状製品を与える巻き芯を提供する。【解決手段】外筒部２と中筒部３と内筒部４を有し、前記外筒部２と前記中筒部３の間が外リブで接続されており、前記中筒部３と前記内筒部４の間が内リブ６で接続されており、前記外リブ５の本数が内リブ６の本数よりも多いことを特徴とする巻き芯１である。【選択図】図１
2015074512.tif 000002
【特許請求の範囲】
【請求項１】
外筒部と中筒部と内筒部を有し、
前記外筒部と前記中筒部の間が外リブで接続されており、
前記中筒部と前記内筒部の間が内リブで接続されており、
前記外リブの本数が内リブの本数よりも多いことを特徴とする巻き芯。
【請求項２】
外リブの数が内リブの数の倍以上であることを特徴とする請求項１に記載の巻き芯。
【請求項３】
内リブの数が６〜１０本であり、外リブの数が内リブの数の２倍、３倍、又は４倍であることを特徴とする請求項１又は２に記載の巻き芯。
【請求項４】
外リブが、内リブと中筒部との接線とは異なる位置から延設されていることを特徴とする請求項１乃至３のいずれかに記載の巻き芯。
【発明の詳細な説明】
【技術分野】
【０００１】
本発明は、帯状に形成されたテープ、フィルム、シート、紙、布等（以下、帯状製品と称する）を巻回してロール体にするための巻き芯に係り、詳しくは、強度が高く、軽量で、且つ大量の帯状製品を巻回しても外筒部が変形しにくく、仮に変形した場合でも外筒部の形状が帯状製品に転写されにくい巻き芯に関する。
【背景技術】
【０００２】
従来より、帯状製品を保存、運搬する際には、例えば図６や引用文献１の図２に記載されているような、外筒部Ｐ１と内筒部Ｐ２の二重構造とされ、この外筒部Ｐ１と内筒部Ｐ２の間にリブＰ３が設けられた巻き芯Ｐが用いられている。
【０００３】
しかしながら、図６のように外筒部Ｐ１と内筒部Ｐ２の間にリブＰ３を設けた場合、リブＰ３を設けた部分では強度が高くなるがリブＰ３とリブＰ３の間の部分では強度が高くならず、繰り返して使用するうちに、図７に示すように、リブＰ３とリブＰ３の間の部分で外筒部Ｐ１がへこんで多角形状（図７の場合は８角形状）に変形し、巻回した帯状製品にその形状が転写され、帯状製品の商品価値を低下させる場合がある。
この問題を解決するためには、外筒部Ｐ１を厚くしたり、外筒部Ｐ１と内筒部Ｐ２の間を中実にすることも考えられるが、この場合は、多量の樹脂が必要でコストが上昇するばかりでなく、重量が大きくなり、取り扱い性が悪化する。
【０００４】
このような問題を解決するために、特許文献２に示すように、リブの外筒部側が分枝されたＹ字形のリブを設けた巻き芯が提案されている。しかしながら、特許文献２に示されるようなＹ字形のリブは、外筒部２を支える力が必ずしも十分でなく、外筒部２の変形を十分に抑えることができないおそれがある。
【先行技術文献】
【特許文献】
【０００５】
【特許文献１】特開２０１３−２３２９０号公報
【特許文献１】特開２０１３−２３２９１号公報
【発明の概要】
【発明が解決しようとする課題】
【０００６】
本発明はかかる実情に鑑み、強度が高く、軽量で、たとえ大量の帯状製品を巻回しても外筒部が変形しにくく、仮に変形したとしても変形量が極めて小さいため、その形状が実質的に帯状製品に転写されず、商品価値を低下させない巻き芯を提供することを目的とする。
【課題を解決するための手段】
【０００７】
本発明は上記目的を達成するためになされたもので、本発明の特徴は、外筒部と中筒部と内筒部を有し、前記外筒部と前記中筒部の間が外リブで接続されており、前記中筒部と前記内筒部の間が内リブで接続されており、前記外リブの本数が内リブの本数よりも多い巻き芯を内容とする。
【０００８】
本発明の他の特徴は、外リブの数が内リブの数の倍以上である上記の巻き芯を内容とする。
【０００９】
本発明の更に他の特徴は、内リブの数が６〜１０本であり、外リブの数が内リブの数の２倍、３倍、又は４倍である上記の巻き芯を内容とする。
【００１０】
本発明の更に他の特徴は、外リブが、内リブと中筒部との接線とは異なる位置から延設されている上記の巻き芯を内容とする。
【発明の効果】
【００１１】
本発明の巻き芯は、外筒部と中筒部と内筒部を有し、前記外筒部と前記中筒部の間が外リブで接続されており、前記中筒部と前記内筒部の間が内リブで接続されており、前記外リブの本数が内リブの本数よりも多く、この多数の外リブで外筒部を支持しているので変形しにくく、たとえ繰り返し使用することにより外筒部が多角形状に変形した場合でも一角あたりの曲げ角が小さくなるので角の形状が帯状製品に転写されにくくなる。従って、本発明の巻き芯に巻回した帯状製品の品質悪化を防ぐことができる。
【００１２】
外リブの数を内リブの数の倍以上とすれば、多数のリブが必要な外リブは多数のリブで支持することができ、リブが集中する内筒部の近辺ではリブの数を減らして軽量化を図ることができる。具体的な数は内リブの数を６〜１０本とし、外リブの数を内リブの数の２倍、３倍、又は４倍とするのが好ましい。
【００１３】
外リブを、内リブと中筒部との接線とは異なる位置から延設すれば、外リブにかかる荷重が中筒部で弾力的に吸収されるため、繰り返し使用した場合でも外筒部の多角形状への変形が生じにくくなる。
【図面の簡単な説明】
【００１４】
【図１】図１は本発明の巻き芯の一例を示す正面図である。
【図２】図２は本発明の巻き芯の別例を示す正面図である。
【図３】図３は本発明の巻き芯の更に別例を示す正面図である。
【図４】図４は本発明の巻き芯の更に別例を示す正面図である。
【図５】図５は本発明の巻き芯の更に別例を示す正面図である。
【図６】図６は従来の巻き芯を示す斜視図である。
【図７】図７は図６の巻き芯を繰り返し使用した状況を示す正面図である。
【発明を実施するための形態】
【００１５】
本発明の巻き芯１は、例えば図１に示したように、外筒部２と中筒部３と内筒部４を有し、前記外筒部２と前記中筒部３の間が外リブ５で接続されており、前記中筒部３と前記内筒部４の間が内リブ６で接続されており、前記外リブ５の本数が内リブ６の本数よりも多いことを特徴とする。
【００１６】
外筒部２は、その外面に帯状製品を巻回するための円筒状部材である。外筒部２の長さや径は特に限定されず、巻回する帯状製品の幅や変形の転写され易さ等に応じて適宜定めればよい。
【００１７】
内筒部４は内部にシャフトを挿通させるための円筒状部材である。本発明においては当該内筒部４に挿通されたシャフトを中心にして巻き芯１を回転させながら外筒部２に帯状製品を巻回してロール体としたり、また、帯状製品を巻回したロール体を回転させながら帯状製品を繰り出して使用に供される。
【００１８】
図１に示すように、本発明では外筒部２と内筒部４の間に中筒部３が設けられる。そしてこの中筒部３と外筒部２の間に外リブ５が設けられ、中筒部３と内筒部４の間に内リブ６が設けられる。本発明において外リブ５の本数は内リブ６の本数よりも多いので、外リブ５のうち少なくとも一部は内リブ６に直接支持されず、中筒部３を介して弾力的に支持される。図１において、内リブ６に直接支持される外リブを５ａ、中筒部３を介して弾力的に支持される外リブを５ｂとして示す。なお、中筒部３の形状は円筒状には限定されず、多角形筒状であってもよい。
【００１９】
外リブ５の数は内リブ６の本数よりも多ければよいが、内リブ６の数の倍以上とするのが好ましい。外筒部２の円周の長さは内筒部４の円周の長さよりもはるかに長いので、外リブ５の数を内リブ６の数の倍以上とすることにより、外筒部２を支持するリブの密度を、内筒部４を支持するリブの密度と同程度にすることができる。
詳しくは、内リブ６の数を６〜１０本とし、外リブ５の数をその整数倍、より好ましくは２倍、３倍、又は４倍とすれば、内筒部４と外筒部２の両方をバランスよく支持することができる。
【００２０】
外リブ５と内リブ６の位置関係は特に限定されない。図１に示すように、外リブ５のうち幾つかを内リブ６と中筒部３の接線から延設してもよいし、図２に示すように、全ての外リブ５が内リブ６と中筒部３の接線とは異なる位置から延設してもよい。
図１に示すように、外リブ５のうち幾つかを内リブ６と中筒部３の接線から延設する場合、射出成形にて巻き芯１を成形する際、樹脂が内リブ６から外リブ５に流れやすくなるので、成形が容易になる。但し、内リブ６と中筒部３の接線から延設される外リブ５ａは内リブ６に直接支持されているため内側に変形しにくい一方、内リブ６と中筒部３の接線とは異なる位置から延設される外リブ５ｂは中筒部３を介して弾性的に支持されているため内側に変形しやすい。従って、各外リブ５ａ、５ｂが外筒部４を支持する力が不均一になるので、外筒部４の変形を防ぐ効果がやや弱くなる。
【００２１】
図２に示すように、全ての外リブ５を内リブ６と中筒部３の接線とは異なる位置から延設する場合、外リブ５が外筒部４を支持する力が均等に近くなるなるので、繰り返し使用した場合でも、外筒部２は多角形状には変形しにくくなる。なお、図２に示すように、外リブ５の数を内リブ６の数の２倍とし、それぞれの外リブ５から内リブ６までの距離を全て同じにすれば、外リブ５が外筒部４を支持する力が均等になるので好ましい。
【００２２】
リブの形状は特に限定されない。一般的にリブの形状は中心軸から外側に向かう放射線状であり、図１及び図２に示した例では、内リブ６及び外リブ５はこの一般的な放射線状である。但し、本発明における内リブ６及び外リブ５の形状は、これに限定されず、例えば図３に示すような円形状でもよいし、図４に示すような三角形状にしてもよい。また、図５に示すように、内リブ６及び外リブ５の両方を放射線状とは異なる形状にしてもよい。
【００２３】
本発明において、巻き芯１の材質は特に限定されず、帯状製品を巻回しても壊れない程度の強度を得られる材料であれば特に限定されないが、造形性、軽量性に優れている点で、合成樹脂が好ましい。具体的には、ＡＢＳ樹脂（アクリロニトリル−ブタジエン- スチレン共重合樹脂）、ＡＡＳ樹脂（アクリロニトリル／アクリルゴム／スチレン樹脂）、ＡＥＳ樹脂（アクリロニトリル／エチレンプロピレンゴム／スチレン樹脂）、ＡＳ樹脂（アクリロニトリル／スチレン樹脂）、ＰＳ樹脂（ポリスチレン樹脂）、ＰＭＭＡ樹脂（ポリメチルメタクリレート樹脂）、ＰＶＣ樹脂（ポリ塩化ビニリデン樹脂）、ＭＳ樹脂（メチルメタクリレート／スチレン樹脂）、ＰＰ樹脂（ポリプロピレン樹脂）、ＰＥ樹脂（ポリエチレン樹脂）、ＰＢＴ樹脂（ポリブチレンテレフタレート樹脂）およびＰＣ樹脂（ポリカーボネート樹脂）等が好適に使用でき、ポリ乳酸樹脂、ポリブチレンサクシネート、ポリアミド１１、ポリヒドロキシ酪酸等の生分解性プラスチックやバイオマスプラスチックも使用できる。
【産業上の利用可能性】
【００２４】
上記したとおり、外筒部と中筒部と内筒部を有し、外筒部と中筒部の間が外リブで接続されており、中筒部と内筒部の間が内リブで接続されており、外リブの本数が内リブの本数よりも多いので、大量の帯状製品を巻回しても外筒部が変形しにくく、仮に変形したとしても変形量が極めて小さいので変形後の形状が円形に近くなる。従って、その形状が実質的に帯状製品に転写されることはなく、商品価値の高い帯状製品を提供することが可能である。
【符号の説明】
【００２５】
１  巻き芯
２  外筒部
３  中筒部
４  内筒部
５、５ａ、５ｂ    外リブ
６  内リブ
Ｐ  従来の巻き芯
Ｐ１  外筒部
Ｐ２  内筒部
Ｐ３  リブ
【図１】
2015074512.tif 000003
【図２】
2015074512.tif 000004
【図３】
2015074512.tif 000005
【図４】
2015074512.tif 000006
【図５】
2015074512.tif 000007
【図６】
2015074512.tif 000008
【図７】
2015074512.tif 000009